(57)【要約】【課題】取扱性や可搬性の低下を招くことなく、表示面の大サイズ化、表示面に表示された情報の視認性向上を実現可能とする。【解決手段】画像等の情報を表示可能な表示部160を、ミウラ折り状に折り畳み可能に複数の部分表示部162に分割し、電子カセッテの筐体70の角部に、折り畳んだ状態の表示部160を収納可能な収納部を設け、表示部160を回動可能に支持する。表示部160から収納部166から引き出され((B)参照)、把持部164が把持されて表示部160が展開される((C)参照)ことで、表示部160の表示面は、筐体70のうち取っ手部124が取付けられている側面の外側の空間に配置される。【選択図】図５
2010046194.tif 000002
【特許請求の範囲】
【請求項１】
被写体を透過して筐体の被照射面に照射された放射線を検出し、照射放射線量の分布を表す放射線画像のデータを出力する画像出力手段と、
前記画像出力手段から出力された放射線画像のデータを記憶する記憶手段と、
各々平板状の複数の部分表示部がおよそ面一となるように展開可能かつ折り畳み可能に連結されて成る表示部を備え、前記表示部が、前記複数の部分表示部の展開に伴って形成される表示面を、前記筐体外のうち、前記被照射面と接しかつ前記筐体を移動させる際に把持するための取っ手部が設けられた前記筐体の特定の側面の外側の空間に配置可能に前記筐体に取付けられた表示手段と、
前記記憶手段にデータが記憶されている放射線画像を含む任意の情報を前記表示手段の表示面に表示させる表示制御手段と、
を含む可搬型放射線画像形成装置。
【請求項２】
前記表示部は、前記複数の部分表示部が折り畳まれた状態で前記筐体内に収納可能とされ、前記複数の部分表示部が折り畳まれた状態の前記表示部を前記筐体外へ引き出す操作が行われた後に、前記複数の部分表示部を展開させる所定方向へ何れか１つの部分表示部を引き出す引き出し操作が行われることで、前記複数の部分表示部から成る表示面が前記筐体外に展開され、前記複数の部分表示部を折り畳む折り畳み操作が行われた後に、前記複数の部分表示部が折り畳まれた状態の前記表示部を前記筐体内に収納させる収納操作が行われることで、前記表示部が前記筐体内に収納される請求項１記載の可搬型放射線画像形成装置。
【請求項３】
前記複数の部分表示部が折り畳まれた状態の前記表示部を収納可能な収納部は、前記筐体のうちの前記特定の側面、又は、前記特定の側面と前記特定の側面に接する他の側面との角部に設けられている請求項２記載の可搬型放射線画像形成装置。
【請求項４】
前記複数の部分表示部が折り畳まれた状態の前記表示部を収納可能な収納部は、前記筐体のうち前記特定の側面と該特定の側面に接する他の側面との角部に設けられており、
前記表示部は、前記複数の部分表示部が展開された状態で表示面の角部に相当する何れか１つの部分表示部が、前記特定の側面と前記他の側面が接する辺に平行な軸回りに回転可能に前記筐体に支持されている請求項２記載の可搬型放射線画像形成装置。
【請求項５】
前記表示部は前記筐体の外面に取付けられており、前記複数の部分表示部が折り畳まれかつ前記筐体の外面に接している状態の前記表示部に対し、前記複数の部分表示部を展開させる所定方向へ何れか１つの部分表示部を引き出す引き出し操作が行われることで、前記複数の部分表示部から成る表示面が前記筐体外に展開され、前記複数の部分表示部を折り畳む折り畳み操作が行われることで、前記表示部が、前記複数の部分表示部が折り畳まれかつ前記筐体の外面に接している状態になる請求項１記載の可搬型放射線画像形成装置。
【請求項６】
前記表示部は、前記筐体の外面のうち前記特定の側面に取付けられている請求項５記載の可搬型放射線画像形成装置。
【請求項７】
前記複数の部分表示部は、対向する第１及び第２の辺が第１の方向と平行で、かつ対向する第３及び第４の辺が前記第１の方向と直交する第２の方向に対して所定角度傾斜された四辺形状とされ、前記表示部は、個々の部分表示部の前記第１の辺が他の部分表示部の前記第２の辺と連結され、前記第３の辺が他の部分表示部の前記第４の辺と連結されるように、前記複数の部分表示部がマトリクス状に配列・連結されて構成されている請求項１〜請求項６の何れか１項記載の可搬型放射線画像形成装置。
【請求項８】
前記表示部は、前記複数の部分表示部が蛇腹状又はミウラ折り状に折り畳み可能に配列・連結されている請求項１〜請求項６の何れか１項記載の可搬型放射線画像形成装置。
【発明の詳細な説明】
【技術分野】
【０００１】
本発明は可搬型放射線画像形成装置に係り、特に、被写体を透過して筐体の被照射面に照射された放射線を検出し、照射放射線量の分布を表す放射線画像のデータを出力する画像出力手段を備えた可搬型放射線画像形成装置に関する。
【背景技術】
【０００２】
近年、ＴＦＴ(Thin Film Transistor)アクティブマトリクス基板上に放射線感応層を配置し、照射されたＸ線等の放射線を検出し、照射放射線量の分布を表す放射線画像のデータへ直接変換して出力するＦＰＤ(Flat Panel Detector)が実用化されており、このＦＰＤ等を内蔵し、ＦＰＤから出力される放射線画像データを記憶する可搬型放射線画像形成装置（以下、電子カセッテともいう）も実用化されている。電子カセッテは可搬性に優れているのでストレッチャーやベッドに載せたまま患者を撮影できると共に、電子カセッテの位置を変更することで撮影部位の調整も容易であるため、動けない患者を撮影する場合にも柔軟に対処することができる。
【０００３】
最近、電子カセッテに、撮影した放射線画像をその場で確認可能な表示部を付加することが提案されており、例えば特許文献１には、患者を透過した放射線を検出する検出器を有する放射線検出用カセッテの背面側に、液晶パネル等の表示装置を配置した構成が開示されている。
【０００４】
また特許文献２には、上カバー、Ｘ線グリッド、薄型平面検出器、デジタルＸ線情報記憶部、薄型の液晶表示器、及び、下カバーを積層し、液晶表示器に表示したＸ線映像を背面側から視認可能な構成のＸ線診断装置が開示されている。
【０００５】
また特許文献３には、画像を表示可能な参照表示部がデジタル画像検出器のハウジング内に取付けられた構成が図２に、参照表示部がハウジングに対して着脱可能に設けられ、ハウジングの壁に取付けられた電気的インタフェースと機械的かつ電気的に結合される構成が図３に、参照表示部がハウジングと別個に設けられデジタル画像検出器と無線通信を行う構成が図４に各々開示されている。
【０００６】
更に特許文献４には、Ｘ線透過率の高い物質で作られた画像表示装置を、支持機構により被験者の体表面に隣接する位置に固定した構成が開示されている。
【０００７】
また特許文献５には、画像表示部、操作部及び無線通信を行う通信手段を備えた制御装置を、Ｘ線画像撮影装置と独立して設け、載置角度変更自在の脚部により、操作者の扱い易い場所に配置可能とした構成が開示されている。
【０００８】
また特許文献６には、カメラのうち撮影レンズが設けられている面と反対側の面に、ミウラ折りで折り畳み可能なディスプレイを設けた構成が図３に示されている。
【特許文献１】特開２０００−２６２５０４号公報
【特許文献２】特開平７−２４６１９９号公報
【特許文献３】特開２００６−１５００７８号公報
【特許文献４】特開２００４−９７５４３号公報
【特許文献５】特開２００４−９７６３５号公報
【特許文献６】特開２００３−２５００７４号公報
【発明の開示】
【発明が解決しようとする課題】
【０００９】
しかしながら、例えば臥位での撮影は、ベッドの上に横たわっている患者とベッドの間に、筐体の被照射面側を上にした電子カセッテを挿入配置した後に、上方から放射線を照射することによって成されるのに対し、特許文献１,２に記載の技術では電子カセッテの筐体の背面側（被照射面と反対側）に表示部が配置されているため、撮影した放射線画像を表示部に表示させて確認する際には、電子カセッテをベッドと患者との間から一旦抜き出し、表示部が上を向くように電子カセッテの天地を反転させる必要がある。また、撮影を再度行う場合は、筐体の被照射面側が上を向くように電子カセッテの天地を再度反転させ、ベッドと患者との間に再び挿入配置する必要があり、取り扱いが非常に煩雑である。
【００１０】
また、特許文献３の図２に示された構成では、電子カセッテの筐体の被照射面側に表示部が配置されているので、撮影した放射線画像を表示部に表示させて確認する際に、電子カセッテを抜き差ししたり天地を反転させたりする必要はないものの、撮影部位によっては表示部の表示面が患者の体に接してしまい、放射線画像の確認が困難になる。また、表示部は電子カセッテの筐体の被照射面内のうち放射線検出領域の外に設ける必要があるので、放射線画像の確実な確認や当該確認における精度確保を目的として表示部の表示面を大サイズ化すると、それに伴って電子カセッテの筐体が大型化し、電子カセッテの取扱性が大幅に低下するという問題もある。
【００１１】
また、特許文献３の図３に示された構成は、特許文献３の図２に示された構成に対して表示部が電子カセッテ本体に対して着脱可能とされているものの、ハウジングの凹所内に挿入した状態での表示部の位置は特許文献３の図２に示された構成と同様であり、撮影部位によっては表示部の表示面が患者の体に接してしまい、放射線画像の確認が困難になると共に、表示部の表示面を大サイズ化すると、それに伴って電子カセッテの筐体が大型化し、電子カセッテの取扱性が大幅に低下するという問題がある。
【００１２】
更に、特許文献３の図４では、表示部を電子カセッテと独立した別筐体とし、電子カセッテと無線通信を行う構成としているが、電子カセッテと独立した別筐体の表示部を、表示された画像等を容易に視認可能な向きで、電子カセッテに近接した位置に位置している状態で維持させるためには、次に述べる特許文献４に記載の技術と同様に何らかの支持機構が必要となる。そして、表示部を支持機構に支持させるようにした場合、電子カセッテ本体と比較して移動容易性が低下するので、電子カセッテの可搬性が損なわれるという問題がある。また、電子カセッテの移動先において、電子カセッテに近接した位置に支持機構を設置できないことで、電子カセッテの位置と表示部の位置が離間してしまう可能性もあり、その場合、表示部を設ける利点が損なわれるという問題もある。
【００１３】
また、電子カセッテは可搬性を有し、同一の電子カセッテを臥位での撮影にも立位での撮影にも異なる撮影室内での撮影にも使用可能という特長を備えているが、これに対して特許文献４に記載の技術では、表示部を電子カセッテと別筐体とし、支持機構によって表示部を被験者の体表面に隣接する位置に固定しているので、電子カセッテ本体と比較して表示部の移動は容易ではなく、特許文献３の図４に示されている構成と同様に電子カセッテの可搬性が損なわれるという問題がある。また、電子カセッテの移動先において、電子カセッテに近接した位置に支持機構を設置できないことで、電子カセッテの位置と表示部の位置が離間してしまう可能性もあり、その場合、表示部を設ける利点が損なわれるという問題もある。
【００１４】
また、特許文献５に記載の技術では、表示部を電子カセッテと別筐体とし、載置角度変更自在の脚部によって表示部を電子カセッテに連結しているので、脚部の届く範囲内で表示部を自由に移動できるものの、電子カセッテを移動させる際に脚部及び表示部が電子カセッテ本体と一体に移動するので、取扱性が悪いという問題がある。また、特許文献５に記載の技術は、電子カセッテ本体と表示部との位置関係を自由に変更可能である代わりに、電子カセッテ本体と表示部との位置関係によっては、全体としての重心位置が電子カセッテ本体の筐体の中心から大きく逸脱することで安定性が大幅に低下するという欠点も有しており、安定性が大幅に低下してい状態では僅かな外力でもバランスが崩れ、表示部が異物と衝突して破損する等の不都合が生ずる恐れもあった。
【００１５】
また、特許文献６に記載の技術では、ミウラ折りで折り畳み可能なディスプレイが撮影レンズが設けられている面と反対側の面に設けられているので、この技術を電子カセッテに適用した場合、被照射面と反対側（背面）に表示部が配置されることになるので、特許文献１,２に記載の技術と同様に取り扱いが非常に煩雑になる、という問題が生ずる。また、放射線画像の撮影時には電子カセッテが被写体の体に接したり、被写体の体に対して近接した位置に配置されるので、電子カセッテの背面以外の箇所に表示部を設けたとしても、表示部の展開が困難な状況となることも生じ得るが、この問題の解決について特許文献６には示唆等は見当たらない。
【００１６】
本発明は上記事実を考慮して成されたもので、取扱性や可搬性の低下を招くことなく、表示面の大サイズ化、表示面に表示された情報の視認性向上を実現可能な可搬型放射線画像形成装置を得ることが目的である。
【課題を解決するための手段】
【００１７】
上記目的を達成するために請求項１記載の発明に係る可搬型放射線画像形成装置は、被写体を透過して筐体の被照射面に照射された放射線を検出し、照射放射線量の分布を表す放射線画像のデータを出力する画像出力手段と、前記画像出力手段から出力された放射線画像のデータを記憶する記憶手段と、各々平板状の複数の部分表示部がおよそ面一となるように展開可能かつ折り畳み可能に連結されて成る表示部を備え、前記表示部が、前記複数の部分表示部の展開に伴って形成される表示面を、前記筐体外のうち、前記被照射面と接しかつ前記筐体を移動させる際に把持するための取っ手部が設けられた前記筐体の特定の側面の外側の空間に配置可能に前記筐体に取付けられた表示手段と、前記記憶手段にデータが記憶されている放射線画像を含む任意の情報を前記表示手段の表示面に表示させる表示制御手段と、を含んで構成されている。
【００１８】
請求項１記載の発明に係る可搬型放射線画像形成装置には、被写体を透過して筐体の被照射面に照射された放射線を検出し、照射放射線量の分布を表す放射線画像のデータを出力する画像出力手段が設けられており、画像出力手段から出力された放射線画像のデータは記憶手段に記憶される。また、請求項１記載の発明には、各々平板状の複数の部分表示部がおよそ面一となるように展開可能かつ折り畳み可能に連結されて成る表示部を備えた表示手段が設けられており、表示部が、複数の部分表示部の展開に伴って形成される表示面が、筐体外のうち、被照射面と接しかつ筐体を移動させる際に把持するための取っ手部が設けられた筐体の特定の側面の外側の空間に配置可能に筐体に取付けられている。そして表示制御手段は、記憶手段にデータが記憶されている放射線画像を含む任意の情報を表示手段の表示面に表示させる。
【００１９】
このように、請求項１記載の発明に係る表示手段の表示部は、各々平板状の複数の部分表示部がおよそ面一となるように展開可能かつ折り畳み可能に連結されて構成されているので、複数の部分表示部がおよそ面一となるように展開されることで形成される表示面をより大サイズ化した場合にも、表示面のサイズの増大に対し、複数の部分表示部が折り畳まれた状態での表示部全体のサイズの増大を抑制できる。従って、表示部の表示面を大サイズ化した場合にも、可搬型放射線画像形成装置の筐体が大型化し、取扱性が悪化することを回避することができる。
【００２０】
また、筐体の側面に取っ手部が設けられている場合、可搬型放射線画像形成装置の移動や位置調整は取っ手部を把持して行われるので、移動や位置調整を経た可搬型放射線画像形成装置は、筐体のうち取っ手部が設けられている側面が可搬型放射線画像形成装置の移動又は位置調整を行った作業者側を向き、かつ前記側面の外側の空間が空いた状態（他の物体が存在しない状態）となる。上記に基づき請求項１記載の発明では、表示部が、複数の部分表示部の展開に伴って形成される表示面が、筐体外のうち、被照射面と接しかつ筐体を移動させる際に把持するための取っ手部が設けられた筐体の特定の側面の外側の空間に配置可能に筐体に取付けられているので、前記特定の側面の外側の空間に配置された表示面が被写体の体で隠蔽されることはなく、表示面に表示された情報を確実に視認することができるので、表示面に表示された情報の視認性を向上させることができる。また、作業者が可搬型放射線画像形成装置の移動又は位置調整を行った後に、複数の部分表示部を展開して表示面を形成する作業を容易に行うことができ、当該作業の作業性も向上させることができる。
【００２１】
また、表示部は筐体に取付けられているので、複数の部分表示部が展開されることで形成された表示面が前記特定の側面の外側の空間に配置された場合にも、表示部は筐体に支持されている状態で維持される。これにより、可搬型放射線画像形成装置を移動させた際にも、表示部を支持するための支持機構を用いることなく、筐体に対して表示手段の表示面を一定の位置に位置させることができる。従って、表示手段を設けたことで可搬型放射線画像形成装置の可搬性が低下することを回避できる。従って、請求項１記載の発明によれば、取扱性や可搬性の低下を招くことなく、表示面の大サイズ化、表示面に表示された情報の視認性向上を実現することができる。
【００２２】
なお、請求項１記載の発明において、例えば請求項２に記載したように、表示部は、複数の部分表示部が折り畳まれた状態で筐体内に収納可能とされ、複数の部分表示部が折り畳まれた状態の表示部を筐体外へ引き出す操作が行われた後に、複数の部分表示部を展開させる所定方向へ何れか１つの部分表示部を引き出す引き出し操作が行われることで、複数の部分表示部から成る表示面が筐体外に展開され、複数の部分表示部を折り畳む折り畳み操作が行われた後に、複数の部分表示部が折り畳まれた状態の表示部を筐体内に収納させる収納操作が行われることで、表示部が筐体内に収納されるように構成することが好ましい。これにより、可搬型放射線画像形成装置の移動時には、複数の部分表示部が折り畳まれた状態の表示部を筐体内に収納することで、表示部が可搬型放射線画像形成装置の移動の障害となることを防止することができ、可搬型放射線画像形成装置の可搬性を更に向上させることができる。
【００２３】
また、請求項２記載の発明において、複数の部分表示部が折り畳まれた状態の表示部を収納可能な収納部は、例えば請求項３に記載したように、筐体のうちの特定の側面、又は、特定の側面と特定の側面に接する他の側面との角部に設けることが好ましい。これにより、複数の部分表示部が折り畳まれた状態の表示部が収納部から引き出されたときに、当該収納部が特定の側面の外側の空間に位置し、その状態から複数の部分表示部が展開された場合に、当該展開に伴って形成される表示面が特定の側面の外側の空間（撮影時に他の物体が存在しない空間）に配置されることになるので、複数の部分表示部の展開に伴って形成される表示面を筐体の特定の側面の外側の空間に配置可能とすることを、特別な部材等を追加することなく実現することができ、構成を簡単にすることができる。
【００２４】
また、請求項２に記載の発明において、複数の部分表示部が折り畳まれた状態の表示部を収納可能な収納部が、筐体のうち特定の側面と該特定の側面に接する他の側面との角部に設けられている場合、表示部は、例えば請求項４に記載したように、複数の部分表示部が展開された状態で表示面の角部に相当する何れか１つの部分表示部が、特定の側面と他の側面が接する辺に平行な軸回りに回転可能に筐体に支持されていることが好ましい。これにより、複数の部分表示部がおよそ面一となるように展開されて形成された表示面が、回転可能に筐体に支持された単一の部分表示部をおよその回転中心として回転可能となるので、表示面を、特定の側面の外側の空間のみならず特定の側面に接する他の側面の外側の空間に配置することも可能となり、複数の部分表示部がおよそ面一となるように展開された状態での表示面の配置の自由度を向上させることができる。
【００２５】
また、請求項１記載の発明において、例えば請求項５に記載したように、表示部は筐体の外面に取付けられており、複数の部分表示部が折り畳まれかつ筐体の外面に接している状態の表示部に対し、複数の部分表示部を展開させる所定方向へ何れか１つの部分表示部を引き出す引き出し操作が行われることで、複数の部分表示部から成る表示面が筐体外に展開され、複数の部分表示部を折り畳む折り畳み操作が行われることで、表示部が、複数の部分表示部が折り畳まれかつ筐体の外面に接している状態になるように構成してもよい。この場合、複数の部分表示部が折り畳まれた状態の表示部を収納するための収納部を、本発明に係る可搬型放射線画像形成装置の筐体内に設ける必要が無くなるので、本発明に係る可搬型放射線画像形成装置の構成を簡単にすることができる。
【００２６】
また、請求項５記載の発明において、表示部は、例えば請求項６に記載したように、筐体の外面のうち特定の側面に取付けられていることが好ましい。これにより、複数の部分表示部が折り畳まれている状態から複数の部分表示部が展開された場合、当該展開に伴って形成される表示面は特定の側面の外側の空間（撮影時に他の物体が存在しない空間）に配置されることになるので、複数の部分表示部の展開に伴って形成される表示面を筐体の特定の側面の外側の空間に配置可能とすることを、特別な部材等を追加することなく実現することができ、構成を簡単にすることができる。
【００２７】
また、請求項１〜請求項６の何れかに記載の発明において、複数の部分表示部は、例えば請求項７に記載したように、対向する第１及び第２の辺が第１の方向と平行で、かつ対向する第３及び第４の辺が第１の方向と直交する第２の方向に対して所定角度傾斜された四辺形状とされ、表示部は、個々の部分表示部の第１の辺が他の部分表示部の第２の辺と連結され、第３の辺が他の部分表示部の第４の辺と連結されるように、複数の部分表示部がマトリクス状に配列・連結されて構成されていてもよい。上記構成は、単一の表示部の表示面を、所謂ミウラ折りに倣って複数の部分表示部に分割したことに相当し、個々の部分表示部の形状が非長方形であるので構成が複雑になるものの、表示部の表示面を大サイズ化した場合にも複数の部分表示部の展開・折り畳みを容易に行うことができる。
【００２８】
また、請求項１〜請求項６の何れかに記載の発明において、表示部は、例えば請求項８に記載したように、複数の部分表示部が蛇腹状又はミウラ折り状に折り畳み可能に配列・連結されて構成することができる。
【発明の効果】
【００２９】
以上説明したように本発明は、被写体を透過して筐体の被照射面に照射された放射線を検出し、照射放射線量の分布を表す放射線画像のデータを出力する画像出力手段を備えた可搬型放射線画像形成装置に、各々平板状の複数の部分表示部がおよそ面一となるように展開可能かつ折り畳み可能に連結されて成り、複数の部分表示部の展開に伴って形成される表示面を、筐体外のうち、被照射面と接しかつ筐体を移動させる際に把持するための取っ手部が設けられた筐体の特定の側面の外側の空間に配置可能に筐体に取付けられた表示部を設けたので、取扱性や可搬性の低下を招くことなく、表示面の大サイズ化、表示面に表示された情報の視認性向上を実現できる、という優れた効果を有する。
【発明を実施するための最良の形態】
【００３０】
以下、図面を参照して本発明の実施形態の一例を詳細に説明する。
【００３１】
〔第１実施形態〕
図１には本実施形態に係る放射線情報システム１０(以下、「ＲＩＳ１０」(ＲＩＳ：(Radiology Information System)という)が示されている。ＲＩＳ１０は病院内の放射線科部門における診療予約や診断記録等の情報管理を行うためのシステムであり、複数台の端末装置１２、ＲＩＳサーバ１４、病院内の個々の放射線撮影室（或いは手術室）に設置された放射線画像撮影システム１８（のコンソール２６）が、有線又は無線のＬＡＮ(Local Area Network)から成る病院内ネットワーク１６に各々接続されて構成されている。なお、ＲＩＳ１０は同じ病院内に設けられた病院情報システム(ＨＩＳ：Hospital Information System)の一部を構成しており、病院内ネットワーク１６にはＨＩＳ全体を管理するＨＩＳサーバ（図示省略）も接続されている。
【００３２】
個々の端末装置１２はパーソナル・コンピュータ(ＰＣ)等で構成され、医師や放射線技師によって操作される。医師や放射線技師は端末装置１２を介して診断情報や施設予約の入力・閲覧を行い、放射線画像の撮影依頼（撮影予約）も端末装置１２を介して入力される。また、ＲＩＳサーバ１４はＲＩＳデータベース（ＤＢ）を記憶する記憶部１４Ａを含んで構成されたコンピュータであり、ＲＩＳデータベースには、患者の属性情報（例えば患者の氏名、性別、生年月日、年齢、血液型、患者ＩＤ等）や、病歴、受診歴、過去に撮影した放射線画像のデータ等の患者に関する他の情報、個々の放射線画像撮影システム１８の電子カセッテ２２（後述）に関する情報（例えば識別番号、型式、サイズ、感度、使用可能な撮影部位（対応可能な撮影依頼の内容）、使用開始年月日、使用回数等）が登録されている。ＲＩＳサーバ１４はＲＩＳデータベースに登録されている情報に基づいて、ＲＩＳ１０全体を管理する処理（例えば各端末装置１２からの撮影依頼を受け付け、個々の放射線画像撮影システム１８における放射線画像の撮影スケジュールを管理する処理）を行う。
【００３３】
個々の放射線画像撮影システム１８は、ＲＩＳサーバ１４から指示された放射線画像の撮影を、医師や放射線技師の操作に従って行うシステムであり、患者（被写体）に照射する放射線を発生させる放射線発生装置２０、患者を透過した放射線を検出し放射線画像データに変換・出力する放射線検出器を内蔵した電子カセッテ２２、電子カセッテ２２に内蔵されるバッテリ１１６（図２参照）を充電するクレードル２４、及び、上記各機器の動作を制御するコンソール２６を各々備えている。図２に示すように、放射線画像撮影システム１８には無線ネットワーク２８が設けられており、同一の放射線画像撮影システム１８を構成する放射線発生装置２０、電子カセッテ２２、クレードル２４及びコンソール２６は、無線ネットワーク２８経由での無線通信により各種の信号や情報の送受を行う。なお、電子カセッテ２２は本発明に係る可搬型放射線画像形成装置に対応している。
【００３４】
放射線発生装置２０は、放射線管を内蔵し当該放射線管によって放射線を発生する放射線源３０を備え、放射線源３０は線源制御部３２に接続され、線源制御部３２には曝射スイッチ３４、無線通信部３６及び線源移動部３８が各々接続されている。曝射スイッチ３４は放射線撮影の実行時に撮影者（放射線技師）によって押圧操作される。また、無線通信部３６には無線アンテナ４０が接続されており、無線通信部３６は無線アンテナ４０を介し、同一の放射線画像撮影システム１８を構成する他の機器と無線ネットワーク２８経由で無線通信を行う。
【００３５】
放射線発生装置２０は、放射線撮影を行う際に、これから行う放射線撮影における撮影条件を表す撮影条件情報をコンソール２６から受信し、受信した撮影条件情報は無線通信部３６から線源制御部３２へ入力される。コンソール２６から受信する撮影条件情報には、放射線管の管電圧や管電流、照射時間等の放射線管の駆動条件を表す情報が含まれており、線源制御部３２は、曝射スイッチ３４が押圧操作されると、放射線源３０の放射線管が上記の駆動条件に従って駆動されるように放射線源３０を制御する。これにより、放射線源３０からは上記の駆動条件に応じた適正線量の放射線が発生・射出される。
【００３６】
また図３に示すように、放射線源３０が配置される放射線撮影室４２には、立位での放射線撮影を行う際に電子カセッテ２２を保持するためのラック４４と、臥位での放射線撮影を行う際に患者が横臥するためのベッド４６が設置されており、ラック４４の前方空間は立位での放射線撮影を行う際の患者の撮影位置４８とされ、ベッド４６の上方空間は臥位での放射線撮影を行う際の患者の撮影位置５０とされている。放射線撮影室４２には、単一の放射線源３０からの放射線によって立位での放射線撮影も臥位での放射線撮影も可能とするために、放射線源３０を、水平な軸回り（図３の矢印Ａ方向）に回動可能で、鉛直方向（図３の矢印Ｂ方向）に移動可能で、かつ水平方向（図３の矢印Ｃ方向）に移動可能に支持する支持移動機構５２が設けられている。
【００３７】
線源移動部３８は、放射線源３０を水平な軸回りに回動させる駆動源と、放射線源３０を鉛直方向に移動させる駆動源と、放射線源３０を水平方向に移動させる駆動源を各々備えている（何れも図示省略）。一方、コンソール２６から受信する撮影条件情報には撮影時姿勢が立位か臥位かを表す情報が含まれており、線源制御部３２は、受信した撮影条件情報で指定された撮影時姿勢が立位であれば、放射線源３０が立位撮影用の位置５４（射出した放射線が撮影位置４８に位置している患者に側方から照射される位置）に位置するように線源移動部３８を制御し、受信した撮影条件情報で指定された撮影時姿勢が臥位であれば、放射線源３０が臥位撮影用の位置５６（射出した放射線が撮影位置５０に位置している患者に上方から照射される位置）に位置するように線源移動部３８を制御する。
【００３８】
なお電子カセッテ２２は、放射線技師により、撮影時姿勢が立位であればラック４４に保持される位置５８へ移動・位置決めされ、撮影時姿勢が臥位であればベッド４６上の位置６０へ移動・位置決めされる。なお、電子カセッテ２２の詳細については後述する。
【００３９】
図２に示すように、クレードル２４はクレードル２４全体の動作を制御するクレードル制御部６２を備えており、クレードル制御部６２には電力供給部６３及び無線通信部６４が各々接続されている。図３に示すように、クレードル２４の筐体は電子カセッテ２２を挿入可能な凹部が設けられた形状とされ、電力供給部６３は、クレードル２４の筐体の凹部に電子カセッテ２２が挿入されている状態で、電子カセッテ２２のバッテリ１１６に電力を供給することでバッテリ１１６を充電する。また、無線通信部６４には無線アンテナ６５が接続されており、無線通信部６４は無線アンテナ６５を介し、同一の放射線画像撮影システム１８を構成する他の機器と無線ネットワーク２８経由で無線通信を行う。
【００４０】
なお、本実施形態では後述のように、放射線撮影が行われることで電子カセッテ２２で生成された放射線画像データが、無線ネットワーク２８経由で電子カセッテ２２からコンソール２６へ直接送信される態様を説明しているが、これに限られるものではなく、クレードル２４の筐体の凹部に電子カセッテ２２が挿入されている状態で、例えばレーザ光等を用いた通信を行う機能を電子カセッテ２２及びクレードル２４に各々設けると共に、クレードル２４を、前記状態で電子カセッテ２２から前述の通信機能により放射線画像データを受信してメモリ等に一時記憶し、一時記憶した放射線画像データを適当なタイミングでコンソール２６へ送信するように構成してもよい。
【００４１】
またコンソール２６には、ＰＣ等で構成され、ＣＰＵ６６Ａ、ＲＯＭ及びＲＡＭを含むメモリ６６Ｂ、ＨＤＤ(Hard Disk Drive)やフラッシュメモリ等から成る不揮発性の記憶部６６Ｃを備えたシステム制御部６６が設けられており、このシステム制御部６６には、ＬＣＤ(Liquid Crystal Display)等から成るディスプレイ６７、キードードやマウス等から成る入力部６８、病院内ネットワーク１６(図１参照)との通信を司る通信Ｉ／Ｆ（インタフェース）部６９、及び、無線通信部５９が各々接続されている。無線通信部５９には無線アンテナ６１が接続されており、無線通信部５９は無線アンテナ６１を介し、同一の放射線画像撮影システム１８を構成する他の機器と無線ネットワーク２８経由で無線通信を行う。
【００４２】
続いて本第１実施形態に係る電子カセッテ２２について説明する。図４に示すように、電子カセッテ２２は、放射線を透過させる材料から成り厚みを有する平板状(扁平な箱形状)の筐体(ケーシング)７０によって覆われており、筐体７０の内部には、筐体７０のうち放射線が照射される被照射面７２側から順に、被写体を透過することに伴って生ずる放射線の散乱線を除去するグリッド７４、放射線を検出する放射線検出器(放射線検出パネル)７６、及び、鉛シート７８が配設されている。なお、筐体７０の被照射面７２をグリッド７４で構成してもよい。また、筐体７０の内部の一端側には、後述する各種回路を収容するケース(図示省略)が配置されている。このケース内部に収容された各種回路が放射線の照射に伴って損傷することを回避するため、ケースの被照射面７２側には鉛シート等を配設しておくことが望ましい。なお、放射線検出器７６は後述する信号処理部１０２と共に本発明に係る画像出力手段に対応している。
【００４３】
電子カセッテ２２の筐体７０のうち、被照射面７２と接する側面には、電子カセッテ２２（筐体７０）を移動させる際に把持するための取っ手部１２４が取付けられている。また、本第１実施形態に係る電子カセッテ２２には図５に示す表示部１６０が設けられているが、この表示部１６０は、図５(Ｃ)に示すように、各々平板状でＬＣＤ等の表示デバイスから成る複数の部分表示部１６２が、およそ面一となるように展開可能で、かつ折り畳み可能に連結されて構成されている。図６にも示すように、個々の部分表示部１６２は、対向する第１及び第２の辺が第１の方向と平行で、かつ対向する第３及び第４の辺が第１の方向と直交する第２の方向に対して所定角度傾斜された四辺形状とされており、表示部１６０は、個々の部分表示部の第１の辺が他の部分表示部の第２の辺と連結され、第３の辺が他の部分表示部の第４の辺と連結されるように、複数の部分表示部１６２がマトリクス状に配列・連結されて構成されている。
【００４４】
なお、図示は省略するが、個々の部分表示部１６２の間はヒンジによって連結されている。このヒンジとしては、開閉角度が０°(全閉)〜１８０°(全開)とされ１８０°を越えて回動することを阻止する回動阻止部が設けられたヒンジが用いられている。上述した個々の部分表示部１６２の形状・配置は、単一の表示部１６０の表示面を、所謂ミウラ折りに倣って複数の部分表示部１６２に分割したことに相当し、個々の部分表示部１６２はミウラ折り状に折り畳まれるが、上記のヒンジは、複数の部分表示部１６２がミウラ折り状に折り畳まれる際に、個々の部分表示部１６２の間が山折りに回動されるか谷折りに回動されるかに応じた向きで、個々の部分表示部１６２の間に取付けられている。これにより、表示部１６０は、複数の部分表示部１６２がおよそ面一となるように展開されると、個々のヒンジが１８０°を越えて回動することが阻止されていることで、複数の部分表示部１６２がおよそ面一となっている状態(図５(Ｃ)に示す状態)で維持される。
【００４５】
また、図示は省略するが、個々の部分表示部１６２の間は可撓性を有する電気配線によって各々接続されており、表示部１６０は、この電気配線を介して伝送される信号により、複数の部分表示部１６２がおよそ面一となるように展開された状態で、表示部１６０のほぼ全面に画像等の情報を表示することが可能とされている。また、図５,６では３×３で合計９個の部分表示部１６２を連結した構成の表示部１６０を示しているが、表示部はより多数個の部分表示部を連結した構成であってもよい。
【００４６】
前述のように、本第１実施形態に係る表示部１６０は、単一の表示部１６０の表示面をミウラ折りに倣って複数の部分表示部１６２に分割した構成であり、個々の部分表示部１６２の形状が非長方形であるので、部分表示部１６２専用の表示デバイスを開発・製造せざるを得ないという欠点はあるものの、マトリクス状に配列・連結された複数の部分表示部１６２の展開・折り畳みを、単一かつ特定の部分表示部１６２（複数の部分表示部１６２が折り畳まれた状態（図５(Ａ),(Ｂ)に示す状態）で最上層に位置する部分表示部１６２）に一定方向の力を加えるのみで行うことができ、複数の部分表示部１６２の展開・折り畳みを容易に行うことができる。本第１実施形態では、上記の特定の部分表示部１６２の角部に把持部１６４が取付けられている。
【００４７】
また、本第１実施形態に係る電子カセッテ２２の筐体７０のうち、取っ手部１２４が取付けられている側面と、当該側面に隣接する側面との角部には、複数の部分表示部１６２が折り畳まれた状態の表示部１６０を収納可能な形状・大きさで、筐体７０外に開口している収納部１６６が設けられている。収納部１６６内の角部には、被照射面７２に直交する方向に沿って延びる回転軸１６８が立設しており、回転軸１６８は回転部材１７０の略中央に設けられた円孔を貫通しており、回転部材１７０は、表示部１６０の複数の部分表示部１６２のうち、複数の部分表示部１６２が折り畳まれた状態で最下層に位置する部分表示部１６２の角部付近に取付けられている。
【００４８】
これにより、表示部１６０は、複数の部分表示部１６２が折り畳まれているか展開されているかに拘わらず、回転軸１６８を中心として回動可能とされている（複数の部分表示部１６２が折り畳まれている状態での表示部１６０の回動を図５(Ａ),(Ｂ)に示し、複数の部分表示部１６２が展開されている状態での表示部１６０の回動を図６(Ａ)〜(Ｃ)に示す）。表示部１６０は、複数の部分表示部１６２が折り畳まれている状態では、回転軸１６８を中心とする回動に伴い、図５(Ａ)に示すように収納部１６６に収納されている状態や、図５(Ｂ)に示すように収納部１６６内から引き出された状態をとり得ると共に、複数の部分表示部１６２が展開されている状態では、回転軸１６８を中心とする回動に伴い、図６(Ａ)に示すように、表示部１６０が筐体７０のうち取っ手部１２４が取付けられている側面の外側の空間に位置している状態や、図６(Ｃ)に示すように、表示部１６０が筐体７０のうち取っ手部１２４が取付けられている側面と隣り合う側面の外側の空間に位置している状態、或いは図６(Ｂ)に示すようにその中間の状態をとり得る。
【００４９】
また、表示部１６０の複数の部分表示部１６２のうち、複数の部分表示部１６２が折り畳まれた状態で最下層に位置する部分表示部１６２には、複数の部分表示部１６２が折り畳まれ、かつ表示部１６０が収納部１６６内に収納されている状態で、筐体７０外へ露出する側の側面に把持部１７２が取付けられている。この把持部１７２を把持することで、収納部１６６内に収納されている表示部１６０の引き出しを容易に行うことができる。
【００５０】
なお、表示部１６０は本発明に係る表示手段（より詳しくは請求項２〜４,７,８に記載の表示手段）に対応しており、収納部１６６は請求項３,４に記載の収納部に対応している。また、回転軸１６８は請求項４に記載の「特定の側面と他の側面が接する辺に平行な軸」に対応しており、回転部材１７０が取付けられた部分表示部１６２は、請求項４に記載の「表示面の角部に相当する何れか１つの部分表示部」に対応している。
【００５１】
電子カセッテ２２の放射線検出器７６は、図２に示すＴＦＴアクティブマトリクス基板８６上に、放射線を吸収して電荷に変換する光電変換層が積層されて構成されている。光電変換層は例えばセレンを主成分（例えば含有率５０％以上）とする非晶質のａ−Ｓｅ（アモルファスセレン）から成り、放射線が照射されると、照射された放射線量に応じた電荷量の電荷（電子−正孔の対）を内部で発生することで、照射された放射線を電荷へ変換する。なお、放射線検出器７６は、上記のようにアモルファスセレン等の放射線−電荷変換材料を用いて放射線を電荷へ直接変換する構成に限られるものではなく、ガドリニウム硫酸化物(ＧＯＳ)やヨウ化セシウム(ＣｓＩ)等の蛍光体材料によって放射線−光変換を行い、フォトダイオード等の光電変換素子によって光−電荷変換を行うことで、放射線を間接的に電荷へ変換する構成を採用してもよい。
【００５２】
ＴＦＴアクティブマトリクス基板８６上には、光電変換層で発生された電荷を蓄積する蓄積容量８８と、蓄積容量８８に蓄積された電荷を読み出すためのＴＦＴ９０を備えた画素部９４（図１では個々の画素部９４に対応する光電変換層を光電変換部９２として模式的に示している）がマトリクス状に多数個配置されており、電子カセッテ２２への放射線の照射に伴って光電変換層で発生された電荷は、個々の画素部９４の蓄積容量８８に蓄積される。これにより、電子カセッテ２２に照射された放射線に担持されていた画像情報は電荷情報へ変換されて放射線検出器７６に保持される。
【００５３】
また、ＴＦＴアクティブマトリクス基板８６には、一定方向（行方向）に延設され個々の画素部９４のＴＦＴ９０をオンオフさせるための複数本のゲート配線９６と、ゲート配線９６と直交する方向（列方向）に延設されオンされたＴＦＴ９０を介して蓄積容量８８から蓄積電荷を読み出すための複数本のデータ配線９８が設けられている。個々のゲート配線９６はゲート線ドライバ１００に接続されており、個々のデータ配線９８は信号処理部１０２に接続されている。個々の画素部９４の蓄積容量８８に電荷が蓄積されると、個々の画素部９４のＴＦＴ９０は、ゲート線ドライバ１００からゲート配線９６を介して供給される信号により行単位で順にオンされ、ＴＦＴ９０がオンされた画素部９４の蓄積容量８８に蓄積されている電荷は、電荷信号としてデータ配線９８を伝送されて信号処理部１０２に入力される。従って、個々の画素部９４の蓄積容量８８に蓄積されている電荷は行単位で順に読み出される。
【００５４】
図示は省略するが、信号処理部１０２は、個々のデータ配線９８毎に設けられた増幅器及びサンプルホールド回路を備えており、個々のデータ配線９８を伝送された電荷信号は増幅器で増幅された後にサンプルホールド回路に保持される。また、サンプルホールド回路の出力側にはマルチプレクサ、Ａ／Ｄ変換器が順に接続されており、個々のサンプルホールド回路に保持された電荷信号はマルチプレクサに順に（シリアルに）入力され、Ａ／Ｄ変換器によってデジタルの画像データへ変換される。信号処理部１０２には画像メモリ１０４が接続されており、信号処理部１０２のＡ／Ｄ変換器から出力された画像データは画像メモリ１０４に順に記憶される。画像メモリ１０４は複数フレーム分の画像データを記憶可能な記憶容量を有しており、放射線画像の撮影が行われる毎に、撮影によって得られた画像データが画像メモリ１０４に順次記憶される。なお、画像メモリ１０４は本発明に係る記憶手段に対応している。
【００５５】
また、画像メモリ１０４にはカセッテ制御部１０６が接続されている。カセッテ制御部１０６はマイクロコンピュータ等から成り、ＣＰＵ１０６Ａ、ＲＯＭ及びＲＡＭを含むメモリ１０６Ｂ、ＨＤＤやフラッシュメモリ等から成る不揮発性の記憶部１０６Ｃを備えており、後述する情報表示処理を行うための情報表示プログラムは記憶部１０６Ｃに記憶されている。また、図示は省略するが、カセッテ制御部１０６は前述したゲート線ドライバ１００及び信号処理部１０２に接続されており、ゲート線ドライバ１００及び信号処理部１０２による個々の画素部９４からの電荷の読み出しを制御する。更に、カセッテ制御部１０６には表示部１６０、入力部１０８、引出センサ１１０、無線通信部１１２が各々接続されている。
【００５６】
カセッテ制御部１０６は後述する情報表示処理を行うことで、画像メモリ１０４に記憶されている画像データが表す放射線画像等の情報を表示部１６０に表示させる。このように、カセッテ制御部１０６は本発明に係る表示制御手段に対応している。また、本実施形態において、入力部１０８は表示部１６０の表示面に設けられたタッチパネルから成り、撮影者によって入力部１０８（タッチパネル）が操作されることで、当該操作に応じた情報がカセッテ制御部１０６に入力される。また、引出センサ１１０は収納部１６６内から表示部１６０が引き出されて複数の部分表示部１６２がおよそ面一となるように展開されたか否かを検出するセンサであり、引出センサ１１０による検出結果もカセッテ制御部１０６に入力される。なお引出センサ１１０としては、例えば部分表示部１６２の間を連結する何れか１つのヒンジに取付けられ、当該ヒンジが複数の部分表示部１６２がおよそ面一となる位置迄回動されたか否かを検出するセンサで構成することができる。また、無線通信部１１２には無線アンテナ１１４が接続されており、無線通信部１１２は無線アンテナ１１４を介し、同一の放射線画像撮影システム１８を構成する他の機器と無線ネットワーク２８経由で無線通信を行う。なお、無線通信部１１２による他の機器との無線通信は、電波による通常の無線通信に代えて、赤外線等を用いた光無線通信であってもよい。
【００５７】
また、電子カセッテ２２はバッテリ１１６を内蔵しており、上述した各種回路(ゲート線ドライバ１００、信号処理部１０２、画像メモリ１０４、カセッテ制御部１０６、表示部１６０、入力部１０８、無線通信部１１２等)は、バッテリ１１６から供給された電力によって作動する。なお、本実施形態では、バッテリ１１６として、クレードル２４の電力供給部６３から供給される電力によって充電される二次電池を用いているが、これに限られるものではなく、バッテリ１１６として一次電池を用いてもよいし、商用電源に常時接続され商用電源から供給された電力を整流、変圧して各種回路へ電力を供給する電源部をバッテリ１１６に代えて設けてもよい。
【００５８】
次に本第１実施形態の作用を説明する。第１実施形態に係る電子カセッテ２２は、表示部１６０を筐体７０内の収納部１６６に収納可能であるので、電子カセッテ２２を位置５８又は位置６０へ移動・位置決めする際や、他の撮影室や手術室、或いは放射線画像撮影装置を搭載した車両での放射線撮影に用いるために電子カセッテ２２を放射線撮影室４２から持ち出す際には、表示部１６０を筐体７０内の収納部１６６に収納しておくことで、表示部１６０が電子カセッテ２２の移動の障害となることを防止することができる。
【００５９】
また、第１実施形態に係る電子カセッテ２２は、表示部１６０を構成する特定の部分表示部１６２が、回転部材１７０、回転軸１６８を介して筐体７０に支持されており、表示部１６０が筐体７０と一体化されている。これにより、電子カセッテ２２を所望の位置へ移動・位置決めした後に、表示部１６０が収納部１６６から引き出され、複数の部分表示部１６２が展開された状態でも、表示部１６０が筐体７０に支持され、筐体７０に対して図５(Ｃ)や図６(Ａ)〜(Ｃ)に示す位置関係で維持されると共に、表示部１６０自体も複数の部分表示部１６２がおよそ面一となっている状態で維持される。従って、表示部１６０を支持する支持機構等は不要であり、表示部１６０を設けたことで電子カセッテ２２の取扱性や可搬性が低下することを回避できる。
【００６０】
また、表示部１６０を収納部１６６から筐体７０外に引き出し、複数の部分表示部１６２がおよそ面一となるように表示面を展開させることで、電子カセッテ２２の筐体７０に対し、被写体としての患者が図４に破線で示す位置に位置している等の場合にも、表示部１６０の表示面が患者の体と接している状態となったり、患者の体によって表示部１６０の表示面が隠れている状態となることを防止することができ、表示部１６０に表示された放射線画像等の情報を撮影者が確実に視認することができる。
【００６１】
更に、収納部１６６は取っ手部１２４が取付けられている側面と当該側面に隣接する側面との角部に設けられているので、表示部１６０を収納部１６６から筐体７０外に引き出し、複数の部分表示部１６２がおよそ面一となるように展開させるのみで、図６(Ａ)に示すように、取っ手部１２４が取付けられている側面の外側の空間に表示部１６０の表示面を配置させることができる。電子カセッテ２２の移動や位置調整は取っ手部１２４を把持して行われるので、取っ手部１２４が取付けられている側面の外側の空間は通常、他の物体が存在しない空間であり、他の物体の干渉によって表示部１６０の複数の部分表示部１６２を展開させることが困難となることを防止することができる。
【００６２】
また、表示部１６０は、複数の部分表示部１６２が展開されている状態で図６(Ａ)〜(Ｃ)に示すように回動可能であるので、電子カセッテ２２の配置位置や姿勢等に応じて、表示部１６０の表示面に表示された情報がより視認し易い位置へ表示部１６０を回動させることも可能となる。
【００６３】
続いて、ＲＩＳ１０における放射線画像の撮影について説明する。医師や放射線技師が端末装置１２を介して放射線画像の撮影を依頼する際には、撮影する患者を特定するための情報（例えば患者ＩＤ等）や撮影部位、撮影時姿勢等の情報が端末装置１２に入力される。なお、患者ＩＤが記録された患者タグが個々の患者に携帯（或いは装着）される場合、患者を特定するための情報の入力は、撮影する患者が携帯している患者タグに記録された患者ＩＤを、端末装置１２に接続された読取装置によって読み取ることによって成される。端末装置１２を介して成された放射線画像の撮影依頼は端末装置１２に入力された各情報と共にＲＩＳサーバ１４へ送信され、ＲＩＳサーバ１４で受け付けされる。
【００６４】
ＲＩＳサーバ１４は、端末装置１２から放射線画像の撮影依頼を受け付けると、既に登録されている個々の放射線画像撮影システム１８における放射線画像の撮影スケジュールを参照し、受け付けた撮影依頼に係る放射線画像の撮影を、何れの放射線画像撮影システム１８で行うかを選択すると共に、選択した放射線画像撮影システム１８で放射線画像の撮影を行う日時を決定する。そして、ＲＩＳデータベースから患者の属性情報等の必要情報を読み出し、読み出した情報や決定した撮影日時等を端末装置１２から受信した情報に付加し、選択した放射線画像撮影システム１８のコンソール２６へ送信する。
【００６５】
コンソール２６は、ＲＩＳサーバ１４から上記情報を受信する毎に受信した情報を記憶部６６Ｃに記憶し、撮影者（放射線技師）からの指示に応じて、記憶部６６Ｃに記憶した情報を、放射線画像の撮影スケジュールや個々の撮影における具体的な撮影内容（例えば撮影を行う患者の氏名、撮影部位や撮影時姿勢、撮影部位から一意に定まる放射線管の標準的な駆動条件等）としてディスプレイ６７に表示する。またコンソール２６は、放射線画像の撮影を行う際に、これから行う放射線撮影における撮影条件を表す撮影条件情報を放射線発生装置２０へ送信する。これにより、放射線発生装置２０の線源制御部３２は、受信した撮影条件情報で指定された撮影時姿勢に応じた位置に放射線源３０が位置するように線源移動部３８を制御する。
【００６６】
放射線画像の撮影を行う場合、撮影者（放射線技師）は、コンソール２６で撮影部位や撮影時姿勢、放射線管の駆動条件等を確認した後に、放射線撮影室４２内において、撮影時姿勢に応じた位置（位置５８又は位置６０）へ電子カセッテ２２を移動・位置決めし、撮影を行う患者本人に対して氏名を確認し、撮影を行う患者を撮影時姿勢に応じた位置（位置４８又は位置５０）に位置させ、必要に応じて放射線源３０の位置を微調整する等の一連の準備作業を行う。そして、一連の準備作業が完了すると曝射スイッチ３４をオンする。
【００６７】
これにより、放射線源３０からは、放射線発生装置２０がコンソール２６から受信した撮影条件情報に含まれる放射線管の駆動条件に応じた線量の放射線が発生・射出され、放射線源３０から射出された放射線は患者を透過して電子カセッテ２２の被照射面７２に照射される。また電子カセッテ２２では、被照射面７２内の各部に照射された放射線が放射線検出器７６によって電荷に変換・蓄積された後に、ゲート線ドライバ１００及び信号処理部１０２によって蓄積された電荷が読み出され、放射線画像のデータへ変換されて画像メモリ１０４に記憶される。
【００６８】
また、画像メモリ１０４に記憶された放射線画像のデータは電子カセッテ２２から無線ネットワーク２８を経由してコンソール２６へ送信され、コンソール２６の記憶部６６Ｃに記憶される。記憶部６６Ｃに記憶された放射線画像のデータは、撮影した放射線画像の確認等のためにディスプレイ６７に表示されると共に、ＲＩＳサーバ１４に転送されてＲＩＳデータベースにも格納される。これにより、撮影された放射線画像を端末装置１２のディスプレイに表示させ、医師が放射線画像の読影や診断等を行うことが可能となる。
【００６９】
ところで、放射線画像の撮影時に患者が動いてしまい、放射線画像上で被写体がブレていた場合は撮影を再度行う必要があるので、撮影者は撮影した放射線画像上で被写体がブレていないか否かを確認する必要がある。また、同一患者の同一部位に対して過去に放射線画像の撮影を行っている場合、医師による放射線画像の読影を容易にするために、撮影者は過去に撮影された放射線画像を参照し、今回の撮影における撮影範囲（ポジショニング）を過去に撮影された放射線画像となるべく一致させる必要がある。また、例えば当初指定された撮影時姿勢が立位であったが、放射線撮影室４２に到来した患者の状態が立位での撮影が負担となる状態（例えば足を怪我している等）であったために、撮影時姿勢を変更することが望ましい場合もある。更に、放射線管の駆動条件の変更が必要となる場合もある。
【００７０】
このような、撮影した放射線画像の確認、過去に撮影された放射線画像の参照、撮影時姿勢や放射線管の駆動条件の変更は、コンソール２６を操作すれば何れも可能ではあるものの、コンソール２６は一般に放射線撮影室４２の外（例えば放射線撮影室４２に隣接する別の部屋）に設置されるので、上記のような場合、撮影者は準備作業の途中や撮影を１回行う毎に放射線撮影室４２とコンソール２６の設置箇所を往復する必要があり、非常に煩雑で作業効率が悪いという問題がある。また、過去に撮影された放射線画像を参照しながら撮影範囲（ポジショニング）を調整することができないので、撮影範囲の調整の精度も十分でないという問題もある。
【００７１】
これらの問題を解決するために、本実施形態に係る電子カセッテ２２には表示部１６０が設けられており、撮影した放射線画像の確認、過去に撮影された放射線画像の参照、撮影時姿勢や放射線管の駆動条件の変更を行う場合やその可能性がある場合、撮影者は把持部１７２を把持して電子カセッテ２２の筐体７０（の収納部１６６）から表示部１６０を引き出し、続いて把持部１７２を把持し表示部１６０の複数の部分表示部１６２をおよそ面一となるように展開させる操作を行う。この操作が行われると、表示部１６０の複数の部分表示部１６２が展開されたことが引出センサ１１０によって検出され、これをトリガとして、電子カセッテ２２のカセッテ制御部１０６によって図７に示す情報表示処理が行われる。
【００７２】
この情報表示処理では、まずステップ３００において、表示部１６０に表示すべき各種情報（例えば撮影を行う患者の患者ＩＤや氏名、撮影部位、撮影時姿勢、放射線管の管電圧、管電流等：以下ではこれらの情報を「ＲＩＳ情報」と総称する）の送信を要求する情報を無線通信部１１２を介してコンソール２６へ送信することで、ＲＩＳ情報の送信をコンソール２６に要求する。次のステップ３０２では、他の機器から何らかの情報を受信したか否か判定する。判定が否定された場合はステップ３０４へ移行し、タッチパネルから成る入力部１０８を介して何らかの情報が入力されたか否か判定する。この判定が否定された場合はステップ３０６へ移行し、表示部１６０が折り畳まれたことが引出センサ１１０によって検出されたか否か判定する。この判定も否定された場合はステップ３０２に戻り、何れかの判定が肯定される迄ステップ３０２〜ステップ３０６を繰り返す。
【００７３】
コンソール２６では、ＲＩＳ情報の送信を要求する情報を電子カセッテ２２から受信すると、これから行われる撮影に関する情報を記憶部６６Ｃから読み出し、読み出した情報をＲＩＳ情報として編集し、無線通信部５９を介して電子カセッテ２２へ送信する。このＲＩＳ情報が電子カセッテ２２の無線通信部１１２で受信されてカセッテ制御部１０６に入力されると、ステップ３０２の判定が肯定されてステップ３０８へ移行し、ステップ３０８では受信した情報の種類に応じて分岐する。受信した情報がコンソール２６から受信したＲＩＳ情報である場合はステップ３０８からステップ３１０へ移行し、まずコンソール２６から受信したＲＩＳ情報をメモリ１０Ｂに記憶させる。
【００７４】
次のステップ３１２では、コンソール２６から受信したＲＩＳ情報をＲＩＳ情報表示・修正画面として表示部１６０の表示面に表示させる。このＲＩＳ情報表示・修正画面は、受信したＲＩＳ情報の内容（患者の患者ＩＤや氏名、撮影部位、撮影時姿勢、放射線管の管電圧、管電流等）を表示すると共に、一部の項目（例えば撮影時姿勢、放射線管の管電圧、管電流等）については撮影者（放射線撮影技師）による修正指示の入力も可能な画面であり、表示部１６０の表示面にこの画面が表示されることで、これから行おうとしている放射線画像の撮影の内容を把握することができる。
【００７５】
また、上記画面では患者ＩＤや氏名が表示されるので、例えば患者本人に対して氏名を確認し、確認した氏名を上記画面に表示されている氏名と照合する等により、撮影を行う患者の取違いが無いか否かを放射線撮影室４２内で確実に確認することができる。また、上記画面では撮影時姿勢や放射線管の管電圧、管電流等が、撮影者による修正指示の入力も可能に表示されるので、撮影者がこれらの項目の内容を確認し、修正が必要と判断した場合には、タッチパネルから成る入力部１０８を介して修正指示を入力することで、放射線撮影室４２とコンソール２６の設置箇所とを往復することなく、撮影時姿勢や放射線管の管電圧、管電流等を変更することが可能となる。
【００７６】
次のステップ３１４では、過去に撮影された関連する放射線画像のデータを要求する情報を生成し、受信したＲＩＳ情報に含まれる患者ＩＤと撮影部位を前記生成した情報に付加してコンソール２６へ送信することで、過去に撮影され今回の撮影と患者及び撮影部位が同一の放射線画像のデータの転送をコンソール２６に要求する。ステップ３１４の処理を行うとステップ３０２に戻り、ステップ３０２〜ステップ３０６を繰り返す。
【００７７】
コンソール２６は、電子カセッテ２２から上記情報を受信すると、受信した情報をＲＩＳサーバ１４へ転送することで、過去に撮影された関連する放射線画像のデータをＲＩＳサーバ１４に要求し、ＲＩＳサーバ１４は、コンソール２６から受信した情報に付加されている患者ＩＤ及び撮影部位をキーにしてＲＩＳデータベースを検索する。そして、該当する放射線画像のデータがＲＩＳデータベースに記憶されていた場合、ＲＩＳサーバ１４は該当する放射線画像のデータをＲＩＳデータベースから読み出し、要求元のコンソール２６へ送信する。またコンソール２６は、電子カセッテ２２から要求された放射線画像のデータをＲＩＳサーバ１４から受信すると、受信した放射線画像のデータを要求元の電子カセッテ２２へ送信する。
【００７８】
上記の放射線画像のデータが電子カセッテ２２で受信されると、情報表示処理(図７)のステップ３０２の判定が肯定されてステップ３０８へ移行し、受信した情報がコンソール２６から受信した放射線画像のデータである場合はステップ３０８からステップ３１６へ分岐する。ステップ３１６ではコンソール２６から受信した放射線画像のデータをメモリ１０６Ｂに記憶させる。そしてステップ３１８では、コンソール２６から受信したデータに基づき、当該データが表す放射線画像（今回の撮影と患者及び撮影部位が同一で、過去に撮影された放射線画像）を表示部１６０に表示させ、ステップ３０２に戻る。
【００７９】
上記処理により、撮影者は、表示部１６０に表示された放射線画像を参照することで、同一の患者の同一の撮影部位を過去に撮影した際の撮影範囲等を把握することができ、把握した撮影範囲になるべく一致するように今回の撮影における撮影範囲を調整することを、放射線撮影室４２とコンソール２６の設置箇所とを往復することなく行うことができる。また、過去に撮影された放射線画像が、放射線撮影室４２外に設置されたコンソール２６のディスプレイ６７に表示される場合と比較して、今回の撮影における撮影範囲の調整をより精度良く行うことができる。
【００８０】
なお、過去に撮影され今回の撮影に関連する放射線画像が存在しない場合は、ＲＩＳサーバ１４からコンソール２６へ該当する放射線画像のデータが送信されず、コンソール２６から電子カセッテ２２へも放射線画像のデータが送信されないので、ステップ３１６,３１８の処理は行われず、過去に撮影され今回の撮影に関連する放射線画像は表示されない。また、ＲＩＳサーバ１４が端末装置１２から撮影依頼を受け付けた段階で、過去に撮影され今回の撮影に関連する放射線画像が存在するか否かをＲＩＳサーバ１４が判定し、当該判定の結果に相当する画像有無情報をＲＩＳサーバ１４からコンソール２６へ送信する情報に付加しておき、コンソール２６から電子カセッテ２２へ送信されるＲＩＳ情報にも上記の画像有無情報を付加し、電子カセッテ２２では、コンソール２６から受信したＲＩＳ情報に付加されている画像有無情報に基づき、過去に撮影され今回の撮影に関連する放射線画像が存在している場合にのみ、当該放射線画像のデータを要求する（ステップ３１４の処理を行う）ようにしてもよい。
【００８１】
また、表示部１６０にＲＩＳ情報表示・修正画面が表示されている状態で、タッチパネルから成る入力部１０８が撮影者によって操作され、撮影時姿勢や放射線管の管電圧、管電流等の撮影条件の修正を指示する情報が入力された場合には、ステップ３０４の判定が肯定されてステップ３２６へ移行し、入力された情報は撮影条件の修正を指示する情報か否か判定する。この場合は判定が肯定されてステップ３２８へ移行し、メモリ１０６Ｂに記憶しているＲＩＳ情報のうち、入力された情報によって修正が指示された項目の内容を指示に応じて修正する。また、次のステップ３３０では修正後のＲＩＳ情報をコンソール２６へ送信する。なお、次のステップ３３２では放射線画像の確認が終了したか否かを判定するが、この場合は判定が否定されてステップ３０２に戻り、ステップ３０２〜ステップ３０６が再度繰り返される。
【００８２】
撮影者の指示によって修正したＲＩＳ情報を電子カセッテ２２から受信した場合、コンソール２６は、電子カセッテ２２から受信したＲＩＳ情報を撮影条件情報へ編集して放射線発生装置２０へ送信すると共に、記憶部６６Ｃに記憶されている情報のうち受信したＲＩＳ情報に対応する情報を、受信したＲＩＳ情報に基づいて修正する。これにより、撮影者の指示によって修正された項目が管電圧、管電流等の放射線管の駆動条件に関する項目であれば、放射線源３０からの放射線の射出時に、修正後の内容に応じた駆動条件で放射線管が駆動され、撮影者の指示によって修正された項目が撮影時姿勢であれば、放射線源３０が修正後の撮影時姿勢に対応する位置へ移動するように、線源移動部３８による放射線源３０の移動が線源制御部３２によって制御される。上記処理により、撮影者は、今回の撮影における撮影条件の修正を、放射線撮影室４２とコンソール２６の設置箇所とを往復することなく行うことができる。
【００８３】
また、撮影者によって曝射スイッチ３４が押圧操作されると、放射線発生装置２０から電子カセッテ２２へ曝射指示の入力が通知される。ステップ３０２の判定が肯定されてステップ３０８へ移行し、受信した情報が放射線発生装置２０から受信した曝射指示の入力通知である場合はステップ３０８からステップ３２０へ分岐する。曝射スイッチ３４が押圧操作されると、放射線発生装置２０は放射線源３０から放射線を射出させ、放射線源３０から射出された放射線は患者（被写体）を透過して電子カセッテ２２に照射される。ステップ３２０では、放射線源３０からの放射線の射出が終了したタイミングで、放射線検出器７６に蓄積された電荷を読み出し、放射線画像のデータへ変換して画像メモリ１０４に記憶するが、電子カセッテ２２がコンソール２６から受信するＲＩＳ情報には、放射線検出器７６からの電荷読み出しにおける読出条件を規定する情報（例えば同時読み出しライン数等）も含まれており、放射線検出器７６からの電荷読み出しは上記情報が規定する読出条件に従って行われる。
【００８４】
次のステップ３２２では、ステップ３２０で画像メモリ１０４に記憶された画像データが表す放射線画像（今回の撮影で得られた放射線画像）を表示部１６０に表示させる。これにより撮影者は、表示部１６０に表示された放射線画像を参照することで、今回の撮影における撮影範囲が適切か否か、放射線画像上で被写体がブレていないか否かを確認することができる。なお、画像メモリ１０４にデータが記憶された放射線画像を表示部１６０にそのまま表示させることに限られるものではなく、例えば画像データに対して各種の画像処理（例えば画像データに重畳されたノイズを除去したり、放射線検出器７６の各画素部９４の特性のばらつきに起因する画像データの画素毎のばらつきを補正する各種の補正処理等）を行った後に、表示部１６０に表示させるようにしてもよい。
【００８５】
また、次のステップ３２４では、今回の撮影で得られた放射線画像の画像データをコンソール２６へ送信する。コンソール２６へ送信された画像データはコンソール２６の記憶部６６Ｃに記憶され、放射線画像の確認等のためにディスプレイ６７に表示されると共に、ＲＩＳサーバ１４に転送されてＲＩＳデータベースにも格納され、端末装置１２を介しての放射線画像の読影や診断等に供せられる。ステップ３２４の処理を終了するとステップ３０２に戻り、ステップ３０２〜ステップ３０６を再度繰り返す。
【００８６】
また、表示部１６０に表示された放射線画像の確認が完了すると、撮影者はタッチパネルから成る入力部１０８を操作し、放射線画像確認の終了を意味する情報を入力する。この場合、ステップ３０４の判定が肯定され、ステップ３２６の判定が否定されると共に、ステップ３３２の判定が肯定されてステップ３３４へ移行し、次に行うべき撮影に対応するＲＩＳ情報の送信をコンソール２６に要求してステップ３０２に戻る。そして、この要求に従ってコンソール２６から送信されたＲＩＳ情報を受信することで、上述したシーケンスが再度繰り返されることになる。
【００８７】
また、電子カセッテ２２を移動させる場合や、その日に予定していた放射線画像の撮影が全て終了した場合、撮影者は把持部１６４を把持し複数の部分表示部１６２(表示面)を折り畳んだ後に、把持部１７２を把持し折り畳まれた状態の表示部１６０を回動させて電子カセッテ２２の筐体７０（の収納部１６６）内へ収納させる操作を行う。この操作が行われると、表示部１６０が折り畳まれたことが引出センサ１１０によって検出され、ステップ３０６の判定が肯定されることで、上述した情報表示処理が終了される。
【００８８】
〔第２実施形態〕
次に本発明の第２実施形態について説明する。なお、第１実施形態と同一の部分には同一の符号を付し、説明を省略する。
【００８９】
図８には本第２実施形態に係る電子カセッテ２２（の一部）が示されている。本第２実施形態に係る電子カセッテ２２には、第１実施形態で説明した表示部１６０と同様に、各々平板状でＬＣＤ等の表示デバイスから成る複数の部分表示部１８２が、およそ面一となるように展開可能で、かつミウラ折り状に折り畳み可能に連結されて構成された表示部１８０(図８(Ｃ)参照)が設けられている。但し、本第２実施形態では第１実施形態で説明した収納部１６６が省略されており、図８(Ｂ),(Ｃ)に示すように、表示部１８０は電気配線１８４を介して電子カセッテ２２の筐体７０と機械的に連結され、かつ電気的に接続されている。なお、表示部１８０と筐体７０との間に電気配線１８４に加えてヒンジ等も設けてもよい。
【００９０】
また、電子カセッテ２２の筐体７０のうち取っ手部１２４が取付けられている特定の側面には、帯状部材１８６の基部が係止されている。帯状部材１８６の先端部には面状ファスナーの雄部材が取付けられており、筐体７０のうち特定の側面に隣接する側面には面状ファスナーの雌部材１８８が取付けられている。筐体７０の特定の側面のうち、帯状部材１８６の一端が係止されている位置から端部（雌部材１８８が取付けられている側面と接している側の端部）に亘る範囲は表示部１８０の係止位置とされており、表示部１８０は、複数の部分表示部１８２がミウラ折り状に折り畳まれ、かつ、個々の部分表示部１８２の表面が特定の側面におよそ沿うように配置された状態で、表示部１８０の背後（表示部１８０よりも筐体７０の外側）を取り回された帯状部材１８６の先端部の雄部材が雌部材１８８と係合されることで、面状ファスナーの雄部材と雌部材１８８の係合力により、筐体７０の特定の側面に接している状態で上記の係止位置に係止される。なお、本第２実施形態に係る表示部１８０も本発明に係る表示手段（より詳しくは請求項５〜８に記載の表示手段）に対応している。
【００９１】
次に本第２実施形態の作用を説明する。本第２実施形態に係る電子カセッテ２２は、表示部１８０を筐体７０の特定の側面の係止位置に係止可能であるので、電子カセッテ２２を位置５８又は位置６０へ移動・位置決めする際や、他の撮影室や手術室、或いは放射線画像撮影装置を搭載した車両での放射線撮影に用いるために電子カセッテ２２を放射線撮影室４２から持ち出す際には、表示部１８０を上記の係止位置に係止しておくことで、表示部１８０が電子カセッテ２２の移動の障害となることを防止することができる。
【００９２】
また、第２実施形態に係る電子カセッテ２２では、表示部１８０が電気配線１８４を介して電子カセッテ２２の筐体７０と連結されているので、電子カセッテ２２を所望の位置へ移動・位置決めした後に、面状ファスナーの雄部材と雌部材１８８の係合が解除されることで係止位置への表示部１８０の係止が解除され、把持部１６４が把持されて複数の部分表示部１８２がおよそ面一となるように筐体７０外で展開された場合、表示部１８０が電気配線１８４を介して電子カセッテ２２の筐体７０から垂れ下がっている状態にはなるものの、その状態でも表示部１８０自体は複数の部分表示部１８２がおよそ面一となっている状態で維持されることと相俟って、表示部１８０の表示面に表示された画像等の情報の確認は可能である。従って、表示部１８０を支持する支持機構等は不要であり、表示部１８０を設けたことで電子カセッテ２２の取扱性や可搬性が低下することを回避できる。
【００９３】
また、面状ファスナーの雄部材と雌部材１８８の係合が解除されることで係止位置への表示部１８０の係止が解除され、把持部１６４が把持されて複数の部分表示部１８２がおよそ面一となるように筐体７０外で展開された場合、電子カセッテ２２の筐体７０に対し、被写体としての患者が図４に破線で示す位置に位置している等の場合にも、表示部１８０の表示面が患者の体と接している状態となったり、患者の体によって表示部１８０の表示面が隠れている状態となることが防止されるので、表示部１８０に表示された放射線画像等の情報を撮影者が確実に視認することができる。
【００９４】
更に、面状ファスナーの雄部材と雌部材１８８の係合が解除され、複数の部分表示部１８２がおよそ面一となるように筐体７０外で展開された場合、表示部１８０の表示面は、図８(Ｃ)に示すように、取っ手部１２４が取付けられている側面の外側の空間に位置することになる。電子カセッテ２２の移動や位置調整は取っ手部１２４を把持して行われるので、取っ手部１２４が取付けられている側面の外側の空間は通常、他の物体が存在しない空間であり、他の物体の干渉によって表示部１８０の複数の部分表示部１８２を展開させることが困難となることも防止することができる。
【００９５】
〔第３実施形態〕
次に本発明の第３実施形態について説明する。なお、第１実施形態及び第２実施形態と同一の部分には同一の符号を付し、説明を省略する。
【００９６】
図９には本第３実施形態に係る電子カセッテ２２（の一部）が示されている。本第３実施形態に係る電子カセッテ２２には、各々平板な長方形状でＬＣＤ等の表示デバイスから成る複数の部分表示部１９２が、およそ面一となるように展開可能(図９(Ｂ)参照)で、かつ蛇腹状に折り畳み可能(図９(Ａ)参照)に連結されて構成された表示部１９０が設けられている。個々の部分表示部１９２の間はヒンジ及び可撓性を有する電気配線によって各々接続されている。
【００９７】
上記のヒンジとしては、開閉角度が０°(全閉)〜１８０°(全開)とされ１８０°を越えて回動することを阻止する回動阻止部が設けられたヒンジが用いられており、個々のヒンジは、複数の部分表示部１９２が蛇腹状に折り畳まれる際に、個々の部分表示部１９２の間が山折りに回動されるか谷折りに回動されるかに応じた向きで、個々の部分表示部１９２の間に取付けられている。これにより、表示部１９０は、複数の部分表示部１９２がおよそ面一となるように展開されると、個々のヒンジが１８０°を越えて回動することが阻止されていることで、複数の部分表示部１９２がおよそ面一となっている状態(図９(Ｃ)に示す状態)で維持される。また図示は省略するが、表示部１９０はヒンジ及び電気配線を介して電子カセッテ２２の筐体７０と機械的に連結されかつ電気的に接続されている。
【００９８】
また、第２実施形態と同様に、取っ手部１２４が取付けられている筐体７０の特定の側面の一端部は表示部１９０の係止位置とされており、筐体７０の底面のうち係止位置に対応する端部には帯状部材１８６の基部が係止され、筐体７０の上面（被照射面７２）のうち係止位置に対応する端部には面状ファスナーの雌部材１８８が取付けられている。これにより、表示部１９０は、複数の部分表示部１９２が蛇腹状に折り畳まれ、かつ、個々の部分表示部１９２の表面が特定の側面におよそ沿うように配置された状態で、表示部１９０の背後（表示部１９０よりも筐体７０の外側）を取り回された帯状部材１８６の先端部の雄部材が雌部材１８８と係合されることで、面状ファスナーの雄部材と雌部材１８８の係合力により、筐体７０の特定の側面に接している状態で上記の係止位置に係止される。なお、本第３実施形態に係る表示部１９０も本発明に係る表示手段（より詳しくは請求項５〜８に記載の表示手段）に対応している。
【００９９】
次に本第３実施形態の作用を説明する。本第３実施形態に係る電子カセッテ２２は、表示部１９０を筐体７０の特定の側面の係止位置に係止可能であるので、電子カセッテ２２を位置５８又は位置６０へ移動・位置決めする際や、他の撮影室や手術室、或いは放射線画像撮影装置を搭載した車両での放射線撮影に用いるために電子カセッテ２２を放射線撮影室４２から持ち出す際には、表示部１９０を上記の係止位置に係止しておくことで、表示部１９０が電子カセッテ２２の移動の障害となることを防止することができる。
【０１００】
また、第３実施形態に係る電子カセッテ２２では、表示部１９０がヒンジ及び電気配線を介して電子カセッテ２２の筐体７０と連結されているので、電子カセッテ２２を所望の位置へ移動・位置決めした後に、面状ファスナーの雄部材と雌部材１８８の係合が解除されることで係止位置への表示部１９０の係止が解除され、手前側に位置している部分表示部１９２が把持されて複数の部分表示部１９２がおよそ面一となるように筐体７０外で展開された場合、表示部１９０がヒンジ及び電気配線を介して電子カセッテ２２の筐体７０から垂れ下がっている状態にはなるものの、その状態でも表示部１９０自体は複数の部分表示部１９２がおよそ面一となっている状態で維持されることと相俟って、表示部１９０の表示面に表示された画像等の情報の確認は可能である。従って、表示部１９０を支持する支持機構等は不要であり、表示部１９０を設けたことで電子カセッテ２２の取扱性や可搬性が低下することを回避できる。
【０１０１】
なお、表示部１９０と筐体７０を接続するヒンジを回動阻止部が設けられたヒンジとすることで、複数の部分表示部１９２がおよそ面一となるように展開された場合に、図９(Ｂ)に示すように、表示面が被照射面７２とおよそ平行な状態を維持するように構成することも可能である。
【０１０２】
また、面状ファスナーの雄部材と雌部材１８８の係合が解除されることで係止位置への表示部１９０の係止が解除され、手前側に位置している部分表示部１９２が把持されて複数の部分表示部１９２がおよそ面一となるように筐体７０外で展開された場合、電子カセッテ２２の筐体７０に対し、被写体としての患者が図４に破線で示す位置に位置している等の場合にも、表示部１９０の表示面が患者の体と接している状態となったり、患者の体によって表示部１９０の表示面が隠れている状態となることが防止されるので、表示部１９０に表示された放射線画像等の情報を撮影者が確実に視認することができる。
【０１０３】
更に、面状ファスナーの雄部材と雌部材１８８の係合が解除され、複数の部分表示部１９２がおよそ面一となるように筐体７０外で展開された場合、表示部１９０の表示面は、図９(Ｃ)に示すように、取っ手部１２４が取付けられている側面の外側の空間に位置することになる。電子カセッテ２２の移動や位置調整は取っ手部１２４を把持して行われるので、取っ手部１２４が取付けられている側面の外側の空間は通常、他の物体が存在しない空間であり、他の物体の干渉によって表示部１９０の複数の部分表示部１９２を展開させることが困難となることも防止することができる。
【０１０４】
なお、第３実施形態では、蛇腹状に折り畳み可能な表示部１９０を、筐体７０の特定の側面の係止位置に係止可能とした態様を説明したが、これに限定されるものではなく、第１実施形態で説明したように、筐体７０に設けた収納部内に収納可能に構成してもよい。また、表示部１９０にも部分表示部１９２を展開させる際に把持するための把持部を設けてもよいことは言うまでもない。
【０１０５】
なお、上記では過去に撮影され今回の撮影に関連する放射線画像として、過去に撮影され、今回の撮影と患者が同一かつ撮影部位が同一の放射線画像を表示部に表示させる態様を説明したが、これに限られるものではなく、過去に撮影され今回の撮影と撮影部位が同一の放射線画像を、過去に撮影され今回の撮影に関連する放射線画像として表示部に表示させるようにしてもよい。
【０１０６】
また、上記では過去に撮影した関連する放射線画像のデータを、コンソール２６経由でＲＩＳサーバ１４から取得する態様を説明したが、これに限定されるものではなく、過去に撮影した放射線画像のデータを電子カセッテ２２の画像メモリ１０４に記憶しておき、放射線画像の撮影を行う際に、画像メモリ１０４に記憶されている放射線画像のデータの中から関連する放射線画像のデータを検索・抽出して表示部に表示させるようにしてもよい。
【０１０７】
また、過去に撮影した関連する放射線画像を表示部１６０等に表示させることは必須の処理ではなく、撮影者が指示した場合にのみ上記放射線画像を表示部１２０等に表示させるようにしてもよいし、上記放射線画像を表示部１６０等に表示させる機能を省略し、今回撮影した放射線画像のみを表示部１２０に表示させるようにしてもよい。
【図面の簡単な説明】
【０１０８】
【図１】本実施形態に係る放射線情報システムの概略構成を示すブロック図である。
【図２】放射線画像撮影システムの概略構成を示すブロック図である。
【図３】撮影室内における放射線発生装置や電子カセッテの配置の一例を示す概略図である。
【図４】第１実施形態に係る電子カセッテの内部構造を示す側面図である。
【図５】第１実施形態に係る電子カセッテの表示部の収納・展開を示す斜視図である。
【図６】第１実施形態に係る電子カセッテにおいて、展開している状態での表示部の回動を示す平面図である。
【図７】電子カセッテのカセッテ制御部で行われる情報表示処理の内容の一例を示すフローチャートである。
【図８】第２実施形態に係る電子カセッテの表示部の収納・展開を示す斜視図である。
【図９】第３実施形態に係る電子カセッテの表示部の収納・展開を示す斜視図である。
【符号の説明】
【０１０９】
１０  放射線情報システム
１２  端末装置
１４  ＲＩＳサーバ
１８  放射線画像撮影システム
２０  放射線発生装置
２２  電子カセッテ
２６  コンソール
７０  筐体
７２  被照射面
７６  放射線検出器
１００  ゲート線ドライバ
１０２  信号処理部
１０４  画像メモリ
１０６  カセッテ制御部
１０８  入力部
１１０  引出センサ
１２４  取っ手部
１６０  表示部
１６２  部分表示部
１６４  把持部
１６６  収納部
１７２  把持部
１８０  表示部
１８２  部分表示部
１９０  表示部
１９２  部分表示部
【図１】
2010046194.tif 000003
【図２】
2010046194.tif 000004
【図３】
2010046194.tif 000005
【図４】
2010046194.tif 000006
【図５】
2010046194.tif 000007
【図６】
2010046194.tif 000008
【図７】
2010046194.tif 000009
【図８】
2010046194.tif 000010
【図９】
2010046194.tif 000011